(57)【要約】【課題】  鍵の持ち出しを防止する。【解決手段】  鍵３の保管場所近傍に第１の通信機１を設け、鍵３によって施錠解錠される施錠解錠部の近傍に第２の通信機２を設け、前記第１の通信機１および第２の通信機２から所定時間毎に呼びかけ信号を送信させる。鍵３はこれらの呼びかけ信号が受信できる領域に存在している間は、前記呼びかけ信号を受信すると、これに対してＩＤ信号を返信する。ＩＤ信号を受信した前記第１の通信機１または第２の通信機２は、計測開始信号を鍵３に送信する。鍵３はかかる信号を受け取ると、信号受信時からの経過時間を計測し、この経過時間が予め定められた時間になると、警告をおこなう。鍵３が呼びかけ信号を受信できる領域外に存在していて前記予め定められた時間が経過すると、警告がおこなわれる。【選択図】  図１
2006316470.tif 000002
【特許請求の範囲】
【請求項１】
Ａ）呼びかけ信号を受信すると、ＩＤ信号を返信するＩＣタグ付きキーと、
Ｂ）前記呼びかけ信号を繰り返し送信し、前記ＩＤ信号を受信すると受信した時刻を記録するとともに、記録した時刻データを、前記ＩＤ信号を返信した前記ＩＣタグ付きキーに送信する第１の送受信手段を有し、前記ＩＣタグ付きキーの保管場所から所定範囲内に設けられた第１の制御機と、
Ｃ）前記呼びかけ信号を繰り返し送信し、前記ＩＤ信号を受信すると受信した時刻を記録するとともに、記録した時刻データを、前記ＩＤ信号を返信した前記ＩＣタグ付きキーに送信する第２の送受信手段を有し、前記第１の制御機と離れて配置された第２の制御機と、
を備えた鍵持ち出し防止システムであって、
Ｄ）前記ＩＣタグ付きキーは、
ｄ１）前記時刻データを受信すると、経過時間を計測する計測手段と、
ｄ２）前記経過時間が予め定められた時間になると、警告をおこなう警告手段と、
ｄ３）前記計測開始後、別の呼びかけ信号を受け取った場合には、前記計測手段に新たに計測処理をさせる更新手段とを有する、
ことを特徴とする鍵持ち出し防止システム。
【請求項２】
Ａ）呼びかけ信号を受信すると、ＩＤ信号を返信するＩＣタグ付きキーと、
Ｂ）前記呼びかけ信号を繰り返し送信し、前記ＩＤ信号を受信すると受信した時刻を記録するとともに、計測開始信号を、前記ＩＤ信号を返信した前記ＩＣタグ付きキーに送信する第１の送受信手段を有し、前記ＩＣタグ付きキーの保管場所から所定範囲内に設けられた第１の制御機と、
Ｃ）前記呼びかけ信号を繰り返し送信し、前記ＩＤ信号を受信すると受信した時刻を記録するとともに、計測開始信号を、前記ＩＤ信号を返信した前記ＩＣタグ付きキーに送信する第２の送受信手段を有し、前記第１の制御機と離れて配置された第２の制御機と、
を備えた鍵持ち出し防止システムであって、
Ｄ）前記ＩＣタグ付きキーは、
ｄ１）計測開始信号を受信すると、受信してからの経過時間を計測する計測手段と、
ｄ２）前記経過時間が予め定められた時間になると、警告をおこなう警告手段と、
ｄ３）前記計測手段が計測を開始した後、別の計測開始信号を受け取った場合には、前記計測手段に対して、前記別の計測開始信号を受け取ってからの計測時間を計測させる更新手段とを有する、
ことを特徴とする鍵持ち出し防止システム。
【請求項３】
Ａ）ａ１）呼びかけ信号を受信すると、前記呼びかけ信号を受信してからの経過時間を計測する計測手段と、ａ２）前記経過時間が予め定められた時間を越えると、警告をおこなう警告手段とを有するＩＣタグ付きキーと、
Ｂ）前記呼びかけ信号を繰り返し送信する第１の送受信手段を有し、前記ＩＣタグ付きキーの保管場所から所定範囲内に設けられた第１の制御機と、
Ｃ）前記呼びかけ信号を繰り返し送信する第２の送受信手段を有し、前記第１の制御機と離れて配置された第２の制御機と、
を備えた鍵持ち出し防止システムであって、
前記計測手段は、前記計測開始後、前記ＩＣタグ付きキーが別の呼びかけ信号を受け取った場合には、その時点からの経過時間を計測する、
ことを特徴とする鍵持ち出し防止システム。
【請求項４】
呼びかけ信号を受信すると、ＩＤ信号を返信するＩＣタグ付きキーであって、
前記返信したＩＤ信号に応答して第１の制御機または第２の制御機から送信された時刻データを受信する受信手段と、
前記受信手段が前記時刻データを受信すると、経過時間を計測する計測手段と、
前記経過時間が予め定められた時間になると、警告をおこなう警告手段と、
前記計測開始後、前記受信手段が別の時刻データを受信した場合には、前記計測処理の更新をおこなう更新手段と、
を備えたＩＣタグ付きキー。
【請求項５】
鍵の保管場所から所定範囲内に第１の制御機を、前記第１の制御機と離れて第２の制御機を、それぞれ設け、
前記第１の制御機および前記第２の制御機から、前記鍵に呼びかけデータを繰り返し送信し、
前記鍵にて、前記第１の制御機または前記第２の制御機から呼びかけデータを受け取らなくなった状態で、所定時間経過したかを判断させ、前記呼びかけデータを受け取らなくなった状態で所定時間経過した場合には、前記鍵にて警告をおこなう
ことを特徴とする鍵持ち出し防止方法。
【発明の詳細な説明】
【技術分野】
【０００１】
この発明は、鍵持ち出し防止システムに関し、特に、警報処理に関する。
【背景技術】
【０００２】
今日、オフィスビル等において、ある部屋の鍵を所定の場所に保管しておき、これを使用する人間はその鍵を利用して当該部屋を解錠し、当該部屋の利用が終了すると施錠し、その鍵を再び所定の場所に保管するということがおこなわれている。これはいわゆる共用鍵の利用である。かかる共用鍵を用いた管理方法において、使用した鍵をポケット等にいれたまま、誤って帰宅等した場合、その後、当該部屋の使用が不可能となるという問題がある。かかる問題を解決する為に、鍵の持ち出しおよび返却について、ノートなどに記録をとることも考えられるが、手続き及び管理が煩雑である。
【０００３】
なお、特許文献１には鍵の施錠確認が可能な電子鍵が開示されている。
【特許文献１】特開平１１−９３４７３号公報
【発明の開示】
【発明が解決しようとする課題】
【０００４】
かかる問題を解決するために、限定した出入り口をオフィスビルに設けておいて、そこで鍵の持ち出しがないかをチェックすることも考えられる。しかし、手続きが煩雑であるばかりでなく、人間が集中する時間帯には当該場所で渋滞するおそれがある。もちろん、チェック装置をより多く設けることにより、渋滞を緩和することはできるがその分だけ、チェック装置が必要となる。また、出入り口が多い場合も同様である。
【０００５】
この発明は、鍵の誤持ち出しを防止できる鍵持ち出し防止システムを提供することを目的とする。
【課題を解決するための手段】
【０００６】
１）本発明にかかる鍵持ち出し防止システムは、Ａ）呼びかけ信号を受信すると、ＩＤ信号を返信するＩＣタグ付きキーと、Ｂ）前記呼びかけ信号を繰り返し送信し、前記ＩＤ信号を受信すると受信した時刻を記録するとともに、記録した時刻データを、前記ＩＤ信号を返信した前記ＩＣタグ付きキーに送信する第１の送受信手段を有し、前記ＩＣタグ付きキーの保管場所から所定範囲内に設けられた第１の制御機と、Ｃ）前記呼びかけ信号を繰り返し送信し、前記ＩＤ信号を受信すると受信した時刻を記録するとともに、記録した時刻データを、前記ＩＤ信号を返信した前記ＩＣタグ付きキーに送信する第２の送受信手段を有し、前記第１の制御機と離れて配置された第２の制御機とを備え、Ｄ）前記ＩＣタグ付きキーは、ｄ１）前記時刻データを受信すると、経過時間を計測する計測手段と、ｄ２）前記経過時間が予め定められた時間になると、警告をおこなう警告手段と、ｄ３）前記計測開始後、別の呼びかけ信号を受け取った場合には、前記計測手段に新たに計測処理をさせる更新手段とを有する。
【０００７】
このように、前記第１または第２の制御機が呼びかけ信号を送信し、前記ＩＣタグ付きキーがこれに対応して、ＩＤ信号を返信し、前記第１または第２の制御機がかかるＩＤ信号に対して時刻データを前記ＩＣタグ付きキーに送信し、前記ＩＣタグ付きキーはかかる時刻データを受信してから、受信した時刻データにより特定される時刻からの経過時間を求め、予め定められた時間になると、警告をおこなう。したがって、検査者を、鍵を誤って持ち出ししていないかをチェックする装置を通過させるというチェックをすることなく、警告をおこなうことができる。また、前記計測開始後、別の呼びかけ信号を受け取った場合には、当該呼びかけ信号に対応して送られてきた新たな時刻データにより特定される時刻から前記計測手段に新たに計測処理をさせる。したがって、前記呼びかけ信号を受信出来る領域に前記ＩＣタグ付きキーを移動させることにより、前記警告はなされない。
【０００８】
２）本発明にかかる鍵持ち出し防止システムは、Ａ）呼びかけ信号を受信すると、ＩＤ信号を返信するＩＣタグ付きキーと、Ｂ）前記呼びかけ信号を繰り返し送信し、前記ＩＤ信号を受信すると受信した時刻を記録するとともに、計測開始信号を、前記ＩＤ信号を返信した前記ＩＣタグ付きキーに送信する第１の送受信手段を有し、前記ＩＣタグ付きキーの保管場所から所定範囲内に設けられた第１の制御機と、Ｃ）前記呼びかけ信号を繰り返し送信し、前記ＩＤ信号を受信すると受信した時刻を記録するとともに、計測開始信号を、前記ＩＤ信号を返信した前記ＩＣタグ付きキーに送信する第２の送受信手段を有し、前記第１の制御機と離れて配置された第２の制御機とを備え、Ｄ）前記ＩＣタグ付きキーは、ｄ１）計測開始信号を受信すると、受信してからの経過時間を計測する計測手段と、ｄ２）前記経過時間が予め定められた時間になると、警告をおこなう警告手段と、ｄ３）前記計測手段が計測を開始した後、別の計測開始信号を受け取った場合には、前記計測手段に対して、前記別の計測開始信号を受け取ってからの計測時間を計測させる更新手段とを有する。
【０００９】
したがって、検査者を、鍵を誤って持ち出ししていないかをチェックする装置を通過させるというチェックをすることなく、警告をおこなうことができる。また、前記計測開始後、別の呼びかけ信号を受け取った場合には、当該呼びかけ信号に対応して送られてきた計測開始信号にて前記計測がなされる。したがって、前記呼びかけ信号を受信出来る領域に前記ＩＣタグ付きキーを移動させることにより、前記警告はなされない。
【００１０】
３）本発明にかかる鍵持ち出し防止システムは、Ａ）ａ１）呼びかけ信号を受信すると、前記呼びかけ信号を受信してからの経過時間を計測する計測手段と、ａ２）前記経過時間が予め定められた時間を越えると、警告をおこなう警告手段とを有するＩＣタグ付きキーと、Ｂ）前記呼びかけ信号を繰り返し送信する第１の送受信手段を有し、前記ＩＣタグ付きキーの保管場所から所定範囲内に設けられた第１の制御機と、Ｃ）前記呼びかけ信号を繰り返し送信する第２の送受信手段を有し、前記第１の制御機と離れて配置された第２の制御機とを備え、前記計測手段は、前記計測開始後、前記ＩＣタグ付きキーが別の呼びかけ信号を受け取った場合には、その時点からの経過時間を計測する。
【００１１】
したがって、検査者を、鍵を誤って持ち出ししていないかをチェックする装置を通過させるというチェックをすることなく、警告をおこなうことができる。また、前記計測開始後、別の呼びかけ信号を受け取った場合には、その時点から経過時間が計測される。したがって、前記呼びかけ信号を受信出来る領域に前記ＩＣタグ付きキーを移動させることにより、前記警告はなされない。
【００１２】
４）本発明にかかるＩＣタグ付きキーは、呼びかけ信号を受信すると、ＩＤ信号を返信するＩＣタグ付きキーであって、前記返信したＩＤ信号に応答して第１の制御機または第２の制御機から送信された時刻データを受信する受信手段と、前記受信手段が前記時刻データを受信すると、経過時間を計測する計測手段と、前記経過時間が予め定められた時間になると、警告をおこなう警告手段と、前記計測開始後、前記受信手段が別の時刻データを受信した場合には、前記計測処理の更新をおこなう更新手段とを備える。
【００１３】
したがって、前記第１または第２の制御機の送信可能範囲外にＩＣタグ付きキーが所定時間存在する場合には、警告が可能となる。よって、別途出入り口等に鍵を誤って持ち出ししていないかをチェックする装置を設けることなく、警告をおこなうことができる。
【００１４】
５）本発明にかかる鍵持ち出し防止方法は、鍵の保管場所から所定範囲内に第１の制御機を、前記第１の制御機と離れて第２の制御機を、それぞれ設け、前記第１の制御機および前記第２の制御機から、前記鍵に呼びかけデータを繰り返し送信し、前記鍵にて、前記第１の制御機または前記第２の制御機から呼びかけデータを受け取らなくなった状態で、所定時間経過したかを判断させ、前記呼びかけデータを受け取らなくなった状態で所定時間経過した場合には、前記鍵にて警告をおこなう。
【００１５】
したがって、出入り口等に鍵を誤って持ち出ししていないかをチェックする装置を別途設けることなく、警告をおこなうことができる。
【００１６】
なお、本明細書において「鍵」とは、実施形態のように、鍵の機能とは別にＩＣタグが付与された鍵はもちろん、ＩＣタグに記録された情報を鍵として用いる場合も含む概念である。また、「無線通信」とは、電波による場合の他、光や赤外線通信のように非接触で通信出来る場合を含む。また、「警告」とはブザーなどにより音を発する場合はもちろん、バイブレータや光など人間の五感に訴えるもの、さらに、予め決められた携帯電話などに警告メールを送るなどを含む。
【００１７】
「繰り返し送信し」とは、所定時間ごとに送信する場合をいい、その間隔は周期的に変動する場合も含む。
【００１８】
また、第１又は第２の通信機から送信する呼びかけ信号の間隔は、少なくとも、ステップＳ１９における所定時間より短くする必要がある。本実施形態においては、１分おきとしたが、これに限定されない。
【００１９】
「第１の送受信手段」は実施形態では、送受信部３１に該当する。「第１の制御機」は、実施形態では、第１の通信機１に該当し、「第２の制御機」は第２の通信機２に該当する。ＩＤ信号とは、実施形態では、ＩＤ識別データに該当する。
【発明の効果】
【００２０】
本発明は、鍵の誤持ち出しを防止できる鍵持ち出し防止システムを提供することができる。
【発明を実施するための最良の形態】
【００２１】
１．機能ブロック図の説明
本発明の一実施形態を図面に基づいて説明する。図１に示す鍵持ち出し防止システムは、第１の通信機１、第２の通信機２、および鍵３を含む。鍵３は所定の保管場所にて保管されており、第１の通信機１は前記保管場所近辺に設けられている。第１の通信機１は第１の送受信手段１ａを備えている。第１の送受信手段１ａは、所定時間毎（例えば１分おき）に呼びかけ信号を送信し、前記呼びかけ信号に対して送信されたＩＤ信号を受信すると、受信した時刻を記録するとともに、計測開始信号を送信する。第２の通信機２は、第１の通信機１と離れて設置されている。第２の通信機２は、第１の送受信手段１ａと同じ機能を有する第２の送受信手段２ａを有している。
【００２２】
鍵３は、計測手段５、警告手段７、更新手段９を備えている。計測手段５は、計測開始信号を受信すると、受信してからの経過時間を計測する。警告手段７は、前記経過時間が予め定められた時間になると、警告をおこなう。更新手段９は、計測手段５が計測を開始した後、別の計測開始信号を受け取った場合には、計測手段５に対して、前記別の計測開始処理を受け取ってからの経過時間を計測させる。
【００２３】
このように、鍵３の保管場所近傍に前記第１の通信機１を設け、前記第１の通信機１と離れた、鍵３によって施錠解錠される施錠解錠部の近傍に前記第２の通信機２を設け、前記第１の通信機１および第２の通信機２から所定時間毎に呼びかけ信号を送信させる。鍵３はこれらの呼びかけ信号が受信できる領域に存在している間は、前記呼びかけ信号を受信すると、これに対してＩＤ信号を返信する。ＩＤ信号を受信した前記第１の通信機１または第２の通信機２は、計測開始信号を鍵３に送信する。鍵３はかかる信号を受け取ると、信号受信時からの経過時間を計測し、この経過時間が予め定められた時間になると、警告をおこなう。なお、計測を開始した後、別の計測開始信号を受け取った場合には、前記別の計測開始信号を受け取ってからの経過時間を計測させるので、鍵３が、前記呼びかけ信号が受信できる領域に存在している間は警告がなされることはなく、呼びかけ信号が受信できる領域外に存在していて前記予め定められた時間が経過すると、警告がおこなわれる。
【００２４】
２．ハードウェア構成
図１に示す第１の通信機１のハードウェア構成について、図２を用いて説明する。図２は、ＣＰＵを用いて第１の通信機１を構成した場合の、第１の通信機１のハードウェア構成の一例を示す図である。
【００２５】
第１の通信機１は、ＣＰＵ２３、ＲＯＭ２７、送受信部３１およびバスライン２９を備えている。ＣＰＵ２３は、ＲＯＭ２７に記憶されているプログラムにしたがいバスライン２９を介して、各部を制御する。
【００２６】
ＲＯＭ２７に記憶されているプログラムは、後述するように、第１の通信機１が鍵３との間で、通信処理をおこなうためのプログラムである。
【００２７】
図１に示す第２の通信機２のハードウェア構成については、第１の通信機１と同様であるので説明は省略する。
【００２８】
図１に示す鍵３のハードウェア構成について、図３を用いて説明する。鍵３は、一般的な鍵が有する機能に加えて、ＣＰＵ１２３、ＲＯＭ１２７、フラッシュメモリ１２６、警告手段であるブザー１３３、送受信部１３１およびバスライン１２９を備えている。ＣＰＵ１２３は、ＲＯＭ１２７に記憶されているプログラムにしたがいバスライン１２９を介して、各部を制御する。フラッシュメモリ１２６には当該鍵３のＩＤ識別データが記憶されている。
【００２９】
ＲＯＭ１２７に記憶されているプログラムは、後述するように、鍵３が、第１の通信機１または第２の通信機２との間で、通信処理をおこなうとともに、警告すべきか否かを判断し、要警告と判断した場合は、ブザー１３３から警告音を発するためのプログラムである。
【００３０】
３．フローチャート
つぎに、本システムにおける処理について図４を用いて説明する。以下では、最初に、鍵３が第１の通信機１との通信可能範囲に存在し、つぎに、第２の通信機２との通信可能範囲内に移動し、その後、第２の通信機２との通信可能範囲外に位置したあと、所定時間内に第１の通信機１との通信可能範囲に戻らなかった場合について説明する。
【００３１】
第１の通信機１および第２の通信機２は、図４に示すように、ＣＡＬＬ信号を送信する（ステップＳ１）。鍵３は、ＣＡＬＬ信号を受信するか否かを判断している（ステップＳ１１）。最初は、鍵３が第１の通信機１との通信可能範囲に存在するので、鍵３は第１の通信機１からのＣＡＬＬ信号を受信する。かかる信号を受信すると、鍵３はＩＤ識別データを送信する（ステップＳ１３）。第１の通信機１は、ＩＤ識別データを受け取るか否かを判断しており（ステップＳ３）、第１の通信機１は、かかるＩＤ識別データを受け取ると、現在時刻を時刻データとして送信する（ステップＳ７）。鍵３は、時刻データを受け取るか否かを判断しており（ステップＳ１５）、かかるデータを受け取ると、この時刻データにより特定される時刻と現在時刻との差分を求めることにより所定時間を経過したか否かを判断する（ステップＳ１９）。かかる所定時間は、任意に設定できる（例えば、呼びかけ信号の間隔より長い２０分）。
【００３２】
鍵３を持ち出した者は、ステップＳ１９における所定時間内に、第１の通信機１の設置場所から、第２の通信機２の設置場所近傍まで移動させる。鍵３は、ＣＡＬＬ信号を受信するか否かを判断している（ステップＳ２１）。また、第２の通信機２はＣＡＬＬ信号の送信をおこなっている（ステップＳ１）。したがって、鍵３は、第２の通信機２との通信可能範囲に入ると、ＣＡＬＬ信号を受信する。鍵３は、ＣＡＬＬ信号を受信するか否かを判断しており（ステップＳ２１）、ＣＡＬＬ信号を受信すると、ＩＤ識別データを送信する（ステップＳ１３）。
【００３３】
第２の通信機２は、ＩＤ識別データを受け取るか否かを判断しており（ステップＳ３）、第２の通信機２は、かかるＩＤ識別データを受け取ると、現在時刻を時刻データとして送信する（ステップＳ７）。鍵３は、この時刻データを受け取るか否かを判断しており（ステップＳ１５）、かかるデータを受け取ると、同様にして所定時間を経過したか否かを判断する（ステップＳ１９）。
【００３４】
ここでは、鍵３は、第２の通信機２の通信可能範囲外に出たあと、ステップＳ１９における所定時間内に、第１の通信機１の設置場所近傍まで移動しないものとした。したがって、鍵３は、ステップＳ１９の所定時間内に、第２の通信機２からも第１の通信機１からもつぎのＣＡＬＬ信号を受信できない。したがって、所定時間経過すると、ステップＳ１９からステップＳ２３に進み、警告としてブザーをならす（ステップＳ２３）。
【００３５】
このように、第１の通信機１および第２の通信機２から、周期的に信号を送り、いずれかから所定時間内に信号を受信しない場合には、鍵３に設けたブザーをならすことにより、特定の出入り口にてチェックをすることなく、鍵３の持ち出しを防止することができる。したがって、出口が多数あるような場合でも、すべての出口に警告装置を設置する必要がない。
【００３６】
上記実施形態においては、鍵３に時刻データを送信し、かかる時刻データを記憶しておき、現在時刻との差分を演算することにより、経過時間を取得するようにしたが、時刻データを計測開始信号として用いることもできる。すなわち、鍵３ではかかる時刻データを受信すると、タイマーをスタートさせ、経過時間を演算すればよい。さらに、時刻データではなく、予め計測開始の信号を決めておき、それが受信されると計測開始するようにしてもよい。
【００３７】
上記実施形態においては、呼びかけ信号に対してＩＤ識別データを鍵３から送信させ、これを受信すると第１の通信機１または第２の通信機２から計測開始用の時刻データを送信させるようにした。しかし、鍵３は呼びかけ信号を受け取ると、この呼びかけ信号が計測開始命令であるとして、前記計測処理をするようにしてもよい。
【００３８】
また、上記実施形態においては、鍵３に、物理的な施錠及び解錠をおこなう部分を有している場合について説明したが、前記ＩＤ識別データによって、施錠及び解錠をおこなうようにしてもよい。
【００３９】
また、第１の通信機１または第２の通信機２にて、鍵３あてに送信した時刻を記憶しておき、管理するようにしてもよい。
【００４０】
本実施形態においては、警告手段としてブザーを用いたが、警告の手法は公知の手法を用いることができ、たとえば、このような音による警告以外に、振動、光などを単独で又は組み合わせて、警告するようにしてもよい。
【００４１】
なお、鍵３が保管場所に存在する場合には、図４に示すチェック処理は不要である。したがって、保管場所から持ち出された場合に初めて鍵３の電源を入れる、たとえば、鍵３に持ちだされた場合にこれを検知して、電源オンにするようなスイッチ手段を設ければよい。
【００４２】
上記実施形態においては、図１に示す機能を実現する為に、ＣＰＵを用い、ソフトウェアによってこれを実現している。しかし、その一部又は全部を、ロジック回路等のハードウェアによって実現してもよい。
【００４３】
なお、上記プログラムとは別にオペレーティングシステム（ＯＳ）を用いて、その一部の処理を当該ＯＳにさせるようにしてもよい。
【産業上の利用可能性】
【００４４】
本発明の鍵持ち出し防止システムは、鍵の誤持ち出しを防止できるという効果を有し、共用する部屋の施錠および開錠をするための鍵を管理するシステム等として有用である。
【図面の簡単な説明】
【００４５】
【図１】本発明の実施の形態の鍵持ち出し防止システムの機能ブロック図である。
【図２】図１に示す第１の通信機１をＣＰＵを用いて実現したハードウェア構成の一例を示す図である。
【図３】図１に示す鍵３をＣＰＵを用いて実現したハードウェア構成の一例を示す図である。
【図４】全体のフローチャートである。
【符号の説明】
【００４６】
１・・・・第１の通信機
１ａ・・・第１の送受信手段
２・・・・第２の通信機
２ａ・・・第２の送受信手段
３・・・・鍵
５・・・・計測手段
７・・・・警告手段
９・・・・更新手段
２３・・・ＣＰＵ
２７・・・メモリ
【図１】
2006316470.tif 000003
【図２】
2006316470.tif 000004
【図３】
2006316470.tif 000005
【図４】
2006316470.tif 000006